(57)【要約】【課題】建築物の外壁から化粧板までの間隔を任意に調整可能にして不陸の影響を解消し、化粧板を鉛直姿勢に配置することである。【解決手段】既設建築物の外壁３に胴縁２を介して化粧板１０を設置する際に、前記胴縁２に不陸調整部材１を設置して不陸の影響を解消する不陸調整構造であって、前記胴縁２は、化粧板１０を設置することができる長さを有しており、不陸調整部材１は、不陸調整部材１には雌ねじ６が設けてあり、雌ねじ６に螺合する雄ねじ１１を設け、雄ねじ１１の先端が建築物の外壁３を押圧可能な状態が保たれており、雄ねじ１１のねじ込み量を加減することにより、胴縁２を建築物の外壁３から離間させる、又は、外壁３に接近させることを可能にした。【選択図】図５
2007120049.tif 000002
【特許請求の範囲】
【請求項１】
既設建築物の外壁に胴縁を介して化粧板を設置する際に、前記胴縁に不陸調整部材を設置して不陸の影響を解消する不陸調整構造であって、
前記胴縁は、化粧板を設置することができる長さを有しており、
前記不陸調整部材には雌ねじが設けてあり、
前記雌ねじに螺合する雄ねじを設け、前記雄ねじの先端が建築物の外壁を押圧可能な状態が保たれており、
前記雄ねじのねじ込み量を加減することにより、胴縁を建築物の外壁から離間させる、又は、外壁に接近させることを可能にしたことを特徴とする不陸調整構造。
【請求項２】
前記不陸調整部材を胴縁に押し付けることにより胴縁に装着可能にしたことを特徴とする請求項１に記載の不陸調整構造。
【請求項３】
胴縁を、不陸調整部材をちょうど収容可能な溝型形状に形成し、さらに胴縁の不陸調整部材を挟持する部分に、不陸調整部材と係合して不陸調整部材の脱落を防止する係合部を設けたことを特徴とする請求項１又は２に記載の不陸調整構造。
【請求項４】
不陸調整部材は、雄ねじの進行方向と直角な面を有しており、前記面が建築物の外壁と当接するようにしたことを特徴とする請求項１〜３のうちのいずれかに記載の不陸調整構造。
【請求項５】
不陸調整部材の側面に、Ｕ字状のスリットを設けたことを特徴とする請求項１〜４のうちのいずれかに記載の不陸調整構造。
【発明の詳細な説明】
【技術分野】
【０００１】
本発明は、既設建築物の外壁を化粧板で覆う際に、外壁に凹凸があっても化粧板を真っ直ぐに配置することができる不陸調整構造に関するものである。
【背景技術】
【０００２】
従来から、既設建築物の外壁を補修する代わりに、化粧板で新たな外壁を形成する工事が行われている。これは、経年によって劣化した外壁や、その他災害等によって破損した外壁を補修する際に、非常に有効な手段である。また、既存の外壁に不具合がなくても、模様替えを行う際においても有効な手段である。
【０００３】
ところで、化粧板を設置しようとする外壁が、真っ直ぐであれば何の問題もないが、実際には劣化等により、外壁の表面には凹凸が生じている場合がほとんどである。この凹凸を無視して、外壁に直に化粧板を設置すると、外壁と化粧板の間には不陸が生じ、化粧板で形成された新たな外壁は、上下方向又は水平方向に歪んでしまい。見栄えが極めて悪くなる。
【０００４】
そこで、この問題を解決するものとして特許文献１の発明が提案されている。特許文献１に開示されている発明は、建築物の構造躯体（外壁）に、外壁板（化粧板）を設置する際に、両者の間に留め付けユニット１を設け、留め付けユニット１によって不陸の影響を解消するものである。
【特許文献１】特開２００３−３４３０６９号公報
【発明の開示】
【発明が解決しようとする課題】
【０００５】
この留め付けユニット１は、留め付け金具５と不陸調整板６とが、傾斜面で接しており、留め付け金具５に設けた突起部１１を、不陸調整板６に設けた複数の嵌入部１２のいずれかに嵌入させることによって不陸の影響を解消している。しかし、このような構成では、突起部１１と嵌入部１２とが嵌合する位置でしか留め付けユニット１を設定することができない。
【０００６】
本発明の課題は、建築物の外壁から化粧板までの間隔を任意に調整可能にして、不陸の影響を解消し、化粧板を鉛直姿勢に配置することであり、これを可能にする不陸調整構造を提供することを目的としている。
【課題を解決するための手段】
【０００７】
上記課題を解決するため、請求項１の発明では、既設建築物の外壁に胴縁を介して化粧板を設置する際に、前記胴縁に不陸調整部材を設置して不陸の影響を解消する不陸調整構造であって、前記胴縁は、化粧板を設置することができる長さを有しており、前記不陸調整部材には雌ねじが設けてあり、前記雌ねじに螺合する雄ねじを設け、前記雄ねじの先端が建築物の外壁を押圧可能な状態が保たれており、前記雄ねじのねじ込み量を加減することにより、胴縁を建築物の外壁から離間させる、又は、外壁に接近させることを可能にした。
【０００８】
請求項２の発明は請求項１の発明において、前記不陸調整部材を胴縁に押し付けることにより胴縁に装着可能に構成した。
【０００９】
請求項３の発明は請求項１又は２の発明において、胴縁を、不陸調整部材をちょうど収容可能な溝型形状に形成し、さらに胴縁の不陸調整部材を挟持する部分に、不陸調整部材と係合して不陸調整部材の脱落を防止する係合部を設けた。
【００１０】
請求項４の発明は請求項１〜３のうちのいずれかの発明において、不陸調整部材は、雄ねじの進行方向と直角な面を有しており、前記面が建築物の外壁と当接するようにした。
【００１１】
請求項５の発明は請求項１〜４のうちのいずれかの発明において、不陸調整部材の側面に、Ｕ字状のスリットを設けた。
【発明の効果】
【００１２】
請求項１の発明では、雌ねじを設けた不陸調整部材が、雌ねじに螺合する雄ねじを設け、雄ねじの先端が建築物の外壁を押圧可能な状態が保たれており、雄ねじのねじ込み量を加減することにより、胴縁を建築物の外壁から離間させる、又は、外壁に接近させることを可能にしたので、建築物の外壁から化粧板までの間隔を、所望する任意の間隔に設定することができる。よって、化粧板によって形成される新たな外壁を、既設の外壁の状態に関係なく、真っ直ぐに構成することができるようになる。
【００１３】
請求項２の発明では、不陸調整部材を胴縁に押し付けることにより胴縁に装着可能に構成したので、現場合わせで胴縁に不陸調整部材を装着する場合においても、胴縁の任意の位置に極めて簡単に不陸調整部材を装着することができる。
【００１４】
請求項３の発明では、胴縁を、不陸調整部材をちょうど収容可能な溝型形状に形成し、さらに胴縁の不陸調整部材を挟持する部分に、不陸調整部材と係合して不陸調整部材の脱落を防止する係合部を設けたので、胴縁に不陸調整部材を装着した後は、胴縁から不陸調整部材が脱落することを防止することができる。
【００１５】
請求項４の発明では、不陸調整部材は、雄ねじの進行方向と直角な面を有しており、前記面が建築物の外壁と当接するようにしたので、胴縁は、不陸を調整する方向に一様で厳密な寸法の面を備える必要がなく、胴縁を製造するコストを低減することができる。
【００１６】
請求項５の発明では、不陸調整部材の側面に、Ｕ字状のスリットを設けたので、不陸調整部材を胴縁に装着する際に、不陸調整部材を撓ませることができ、円滑に装着することができる。
【発明を実施するための最良の形態】
【００１７】
図１は、本発明の不陸調整構造であって、不陸調整部材１を、胴縁２と共に建築物の外壁３に設置した状態を示す斜視図である。また、図２は、不陸調整部材１と胴縁２とを分解した状態を示す分解斜視図である。ここで外壁３としては、主にコンクリート構造物を想定しているが、表面（壁面）を樹脂膜等で被覆したものも包含している。
【００１８】
図１及び図２に示すように、不陸調整部材１及び胴縁２は、それぞれ断面が略コの字形を呈しており、不陸調整部材１の長さ（数センチメートル）は、胴縁２の長さ（数メートル程度）と比較して極めて短い。以下では、最初に不陸調整部材１の構成を説明し、その後に胴縁２の構成を説明する。
【００１９】
不陸調整部材１は、底部１ａと、底部１ａと連続する２つの側部１ｂと、側部１ｂと連続するフランジ部１ｃ（後述のボルト１１の進行方向と直角な面）とを備えている。側部１ｂの、底部１ａ側には傾斜面１ｄが形成されており、対向する２つの側部１ｂのフランジ部１ｃ側の間隔（幅）は、底部１ａの幅よりも広くなっている。
【００２０】
底部１ａには、２つの孔４が設けてある。この孔４には、ビス５が貫通し、ビス５によって、後述する胴縁２と共に、不陸調整部材１が外壁３に固定される。また、底部１ａには２つの孔４のちょうど中間に別の孔（図示せず）が設けてあり、さらに、この図示しない孔と同心状にナット６（雌ねじ）が固着されている。ナット６は、底部１ａに対して、例えば溶接や接着剤等によって強固に固着される。
【００２１】
各側部１ｂには、外向きに突出するように切り欠かれた突出片７が、それぞれ３箇所に設けてある。突出片７は、側部１ｂの一部を押圧し、押圧した部分の下部（底部１ａ側の部分）のみが側部１ｂと連続するように構成されている。さらに側部１ｂには、傾斜面１ｄにまで及ぶＵ字状のスリット８が設けられている。
【００２２】
フランジ部１ｃは、底部１ａと平行であり、このフランジ部１ｃ（後述のボルト１１の進行方向と直角な面）には、後述する化粧板１０が当接する。
【００２３】
次に胴縁２の構成を説明する。胴縁２は、断面が略コの字形であり、底面２ａには不陸調整部材１のナット６及び図示しない孔に対応する孔９が設けられている。さらに底部２ａには、ビス５が貫通する不陸調整部材１の２つの孔４に対応する孔（図示せず）が設けられる。ナット６及び孔４に対応する底部２ａの３つの孔（うち１つは孔９）は、胴縁２に対する不陸調整部材１の設置場所が確定してから設けられる。
【００２４】
底部２ａの両側には、底部２ａと連続する側部２ｂが起立している。側部２ｂには、底部２ａの方へ折り曲げられた係合部２ｃが形成されている。係合部２ｃは、胴縁２の長手方向に連続的に延びており、不陸調整部材１の突出片７が、長手方向のいずれの位置でも係合できるようになっている。
【００２５】
側部２ｂの高さは、不陸調整部材１を一体固着した際に、不陸調整部材１の側部１ｂの高さよりも低くなるように（すなわち、フランジ部１ｃが胴縁２から突出するように）形成されている。
【００２６】
図１に示すように、不陸調整部材１を胴縁２に装着する際、突出部７が係合部２ｃを通過するときに、不陸調整部材１は、スリット８が存在することにより、内側へ撓むことができ、突出部７が係合部２ｃを通過すると元の形状に戻り、突出部７に係合部２ｃが係合して、不陸調整部材１は胴縁２から外れないようになっている。この構成によって、胴縁２に不陸調整部材１をワンタッチで装着することができる。両者の係合状態は後述する。
【００２７】
この状態で、ボルト１１（雄ねじ）が、胴縁２の孔９（図２）を貫通し、且つ、不陸調整部材１に設置したナット６と螺合する。
【００２８】
図２に示すように、ボルト１１の下部は、押圧部材１２と一体固着されており、押圧部材１２を介してボルト１１が外壁３を押圧することができるようになっている。押圧部材１２の外壁３と接する面は、ボルト１１の先端面よりも面積が大きく、外壁３が脆い素材（例えば、気泡入りのコンクリートＡＬＣ）である場合に、外壁３を損傷させることを防止することができる。外壁３が強固な素材で構成されていれば、押圧部材１２は不要である。ボルト１１には、例えば六角孔付ボルトを採用する。
【００２９】
さらに、不陸調整部材１の孔４には、ビス５が打ち込まれ、このときに胴縁２にビス５を通過させる孔が設けられ、ビス５は、建築物の外壁３に対して、不陸調整部材１と胴縁２とを一体に固着する。
【００３０】
胴縁２に不陸調整部材１を装着した状態を、図３〜図５に示す。図３は、胴縁２に不陸調整部材１を装着した状態の正面図であり、図４は図３のIV−IV矢視図、図５は図３のＶ−Ｖ矢視図である。さらに、図６は、不陸調整部材１を装着した胴縁２を建築物の外壁３に固定した状態を示しており、図６（ａ）は、不陸調整部材１に化粧板１０を当接させる直前の状態を示しており、図６（ｂ）は、不陸調整部材１に化粧板１０を当接させた状態を示している。
【００３１】
図３〜図５に示すように、不陸調整部材１の突出部７が、胴縁２の係合部２ｃに係合しており、不陸調整部材１は胴縁２から外れないようになっている。図６（ａ）に示すように、外壁３の表面には凹凸があり、上側に設置した不陸調整部材１と下側に設置した不陸調整部材１とでは、寸法Ｘだけ狂いが出ている。図３〜図５に示すボルト１１を回し、この寸法Ｘを補正することによって、上側の不陸調整部材１のフランジ部１ｃと下側の不陸調整部材１のフランジ部１ｃとが、図６（ａ）において二点鎖線で示すように同一面内に配置される。図６（ｂ）に示すように、この両フランジ部１ｃに化粧板１０を当接させることにより、化粧板１０を鉛直姿勢にすることができる。
【００３２】
ここで、本実施の形態では、不陸調整部材１のフランジ部１ｃに化粧板１０を当接させる例を示したが、図６において、フランジ部１ｃが胴縁２より突出しないようにして、胴縁２に化粧板１０を当接させるようにしても差し支えない。
【００３３】
また、前述の例では、胴縁２に２つの不陸調整部材１を装着する例を示したが、必要に応じて３つ以上の不陸調整部材１を装着するようにしてもよい。
【００３４】
本発明を実施すると、複数枚の化粧板１０で新たな外壁を構成する場合においても、各化粧板１０を同一平面上に配置することができ、見栄えよく施工することができるようになる。
【図面の簡単な説明】
【００３５】
【図１】本発明の不陸調整構造であって、不陸調整部材を、胴縁と共に建築物の外壁に設置した状態を示す斜視図である。
【図２】不陸調整部材と胴縁とを分解した状態を示す分解斜視図である。
【図３】胴縁に不陸調整部材を装着した状態を示す正面図である。
【図４】図３のIV−IV矢視図である。
【図５】図３のＶ−Ｖ矢視図である。
【図６】（ａ）は、不陸調整部材を装着した胴縁を建築物の外壁に固定し、不陸調整部材に化粧板を当接させる直前の状態の断面図である。（ｂ）は、（ａ）において不陸調整部材に化粧板を当接させた状態の断面図である。
【符号の説明】
【００３６】
１  不陸調整部材
１ｃ  フランジ部（雄ねじの進行方向と直角な面）
２  胴縁
３  建築物の外壁
４  孔
５  ビス
６  ナット（雌ねじ）
７  突出片
８  スリット
９  孔
１０  化粧板
１１  ボルト（雄ねじ）
１２  押圧部材
【図１】
2007120049.tif 000003
【図２】
2007120049.tif 000004
【図３】
2007120049.tif 000005
【図４】
2007120049.tif 000006
【図５】
2007120049.tif 000007
【図６】
2007120049.tif 000008